(57)【要約】【課題】カード単体でカードスロットに対して逆向きに挿入される事態を防止しつつ、カード用アダプタが装着された場合においても、標準サイズのメモリカード用のコネクタ装置に適切に装着すること。【解決手段】標準サイズのメモリカードよりも小型化されたメモリカード１００であって、メモリカード１００の外側に突出する突出部によりカードスロットに対する逆向きの挿入を防止する逆挿入防止機構１０２と、突出部をメモリカード１００の内側に移動させて逆挿入防止機構１０２の逆挿入防止機能を解除状態にする駆動機構１０３とを具備することを特徴とする。【選択図】図２
2009020700.tif 000002
【特許請求の範囲】
【請求項１】
標準サイズのメモリカードよりも小型化されたメモリカードであって、
前記メモリカードの外側に突出する突出部によりカードスロットに対する逆向きの挿入を防止する逆挿入防止機構と、前記突出部を前記メモリカードの内側に移動させて当該逆挿入防止機構の逆挿入防止機能を解除状態にする駆動機構とを具備することを特徴とするメモリカード。
【請求項２】
前記逆挿入防止機構は、前記突出部を前記メモリカードにおける挿入方向の側方側の両端部に備えることを特徴とする請求項１記載のメモリカード。
【請求項３】
前記駆動機構は、押圧操作を受ける被押圧部が形成され、前記被押圧部に対する押圧操作が行われると前記突出部を前記メモリカードの内側に移動させる一方、前記被押圧部に対する押圧操作が解除されると前記突出部を前記メモリカードの外側に突出させる操作部材を備えることを特徴とする請求項１又は請求項２記載のメモリカード。
【請求項４】
前記突出部は、前記メモリカードの側方側の両端部に形成された段差部における挿入方向の後方側の端部近傍で突出することを特徴とする請求項１から請求項３のいずれかに記載のメモリカード。
【請求項５】
請求項１から請求項４のいずれかに記載のメモリカードを標準サイズのメモリカードと略同等に機能させるためのカード用アダプタであって、
前記カード用アダプタを前記メモリカードに装着するための装着部と、前記メモリカードの駆動機構を駆動して前記逆挿入防止機構の逆挿入防止機能を制御する制御部とを具備することを特徴とするカード用アダプタ。
【請求項６】
前記制御部は、前記操作部材の前記被押圧部を押圧する押圧部を備え、前記押圧部は、前記カード用アダプタの装着時に前記被押圧部を押圧することを特徴とする請求項５記載のカード用アダプタ。
【発明の詳細な説明】
【技術分野】
【０００１】
本発明は、メモリカード及びカード用アダプタに関し、特に、標準サイズのメモリカードよりも小型化されたメモリカード、並びに、この小型化されたメモリカードを標準サイズのメモリカードに対する互換性を持たせるためのカード用アダプタに関する。
【背景技術】
【０００２】
従来、小型電子機器の小型化を促進すると共に、標準サイズのメモリカードに対する互換性を有するメモリカードが提案されている（例えば、特許文献１参照）。特許文献１に係るメモリカードにおいては、小型化したメモリカードを標準サイズのメモリカードの寸法に合わせるためにカード用アダプタを装着することで、標準サイズのメモリカードに対する互換性を確保している。
【特許文献１】特開平７−２１０６４５号公報
【発明の開示】
【発明が解決しようとする課題】
【０００３】
上述したような従来のメモリカードにおいては、カードスロット内に配設されるコンタクトの破損等を防止するため、カードスロットに対する逆向きの挿入を防止する突起部等を設けることが望ましい。しかしながら、このように逆挿入を防止するための突起部等を設ける場合には、標準サイズのメモリカードの寸法に合わせるためにカード用アダプタを装着した場合においても、当該突起部等がカードスロットへの挿入を阻害することとなるため、標準サイズのメモリカード用のコネクタ装置に適切に装着することができないという問題がある。
【０００４】
本発明はかかる問題点に鑑みてなされたものであり、カード単体でカードスロットに対して逆向きに挿入される事態を防止しつつ、カード用アダプタが装着された場合においても、標準サイズのメモリカード用のコネクタ装置に適切に装着することができるメモリカード及びカード用アダプタを提供することを目的とする。
【課題を解決するための手段】
【０００５】
本発明のメモリカードは、標準サイズのメモリカードよりも小型化されたメモリカードであって、前記メモリカードの外側に突出する突出部によりカードスロットに対する逆向きの挿入を防止する逆挿入防止機構と、前記突出部を前記メモリカードの内側に移動させて当該逆挿入防止機構の逆挿入防止機能を解除状態にする駆動機構とを具備することを特徴とする。
【０００６】
上記メモリカードによれば、駆動機構により突出部をメモリカードの内側に移動させて当該逆挿入防止機構の逆挿入防止機能を解除状態にできることから、駆動機構の駆動状態に応じて必要のない場合に逆挿入防止機能を解除状態とすることができる。例えば、カード用アダプタが装着された場合に駆動機構を駆動させ、逆挿入防止機能を解除状態とすることができるので、カード単体でカードスロットに対して逆向きに挿入される事態を防止しつつ、カード用アダプタが装着された場合においても、標準サイズのメモリカード用のコネクタ装置に適切に装着することが可能となる。
【０００７】
上記メモリカードにおいて、前記逆挿入防止機構は、前記突出部を前記メモリカードにおける挿入方向の側方側の両端部に備えることが好ましい。この場合には、突出部がメモリカードにおける挿入方向の側方側の両端部に設けられているので、メモリカード単体でカードスロットに対して逆向きに挿入される事態を確実に防止することが可能となる。
【０００８】
上記メモリカードにおいて、前記駆動機構は、押圧操作を受ける被押圧部が形成され、前記被押圧部に対する押圧操作が行われると前記突出部を前記メモリカードの内側に移動させる一方、前記被押圧部に対する押圧操作が解除されると前記突出部を前記メモリカードの外側に突出させる操作部材を備えることが好ましい。この場合には、操作部材に対する押圧操作に応じて突出部の位置が切り替えられることから、カード用アダプタの装着動作に応じて操作部材に対する押圧操作を行うことにより、カード用アダプタの装着動作に応じて突出部の位置を切り替えることが可能となる。
【０００９】
上記メモリカードにおいて、前記突出部は、前記メモリカードの側方側の両端部に形成された段差部における挿入方向の後方側の端部近傍で突出することが好ましい。この場合には、メモリカードの段差部に突出部を突出させることから、例えば、カードスロットに設けられるカードガイド部との関係でメモリカードの逆向きの挿入を防止することが可能となる。また、挿入方向の後方側の端部近傍で突出部を突出させることから、メモリカードが逆向きに挿入された場合にカードスロットの奥側までメモリカードが挿入される事態を防止することが可能となる。
【００１０】
本発明のカード用アダプタは、上述したいずれかの態様のメモリカードを標準サイズのメモリカードと略同等に機能させるためのカード用アダプタであって、前記カード用アダプタを前記メモリカードに装着するための装着部と、前記メモリカードの駆動機構を駆動して前記逆挿入防止機構の逆挿入防止機能を制御する制御部とを具備することを特徴とする。
【００１１】
上記カード用アダプタによれば、制御部により、駆動機構を駆動して逆挿入防止機構の逆挿入防止機能を制御することから、必要のない場合にメモリカードの逆挿入防止機能を解除状態とすることができる。例えば、カード用アダプタが装着された場合に駆動機構を駆動させ、逆挿入防止機能を解除状態とすることができるので、カード単体でカードスロットに対して逆向きに挿入される事態を防止可能なメモリカードを、標準サイズのメモリカード用のコネクタ装置に適切に装着させることが可能となる。
【００１２】
上記カード用アダプタにおいて、前記制御部は、前記操作部材の前記被押圧部を押圧する押圧部を備え、前記押圧部は、前記カード用アダプタの装着時に前記被押圧部を押圧することが好ましい。この場合には、カード用アダプタの装着時に押圧部により、メモリカードの操作部材の被押圧部が押圧されるので、カード用アダプタの装着動作に応じてメモリカードの逆挿入防止機能解除状態とすることが可能となる。
【発明の効果】
【００１３】
本発明によれば、駆動機構により逆挿入防止機構の突出部をメモリカードの内側に移動させて当該逆挿入防止機構の逆挿入防止機能を解除状態にできることから、駆動機構の駆動状態に応じて必要のない場合に逆挿入防止機能を解除状態とすることができる。例えば、カード用アダプタが装着された場合に駆動機構を駆動させ、逆挿入防止機能を解除状態とすることができるので、カード単体でカードスロットに対して逆向きに挿入される事態を防止しつつ、カード用アダプタが装着された場合においても、適切に標準サイズのメモリカード用のコネクタ装置に適切に装着することが可能となる。
【発明を実施するための最良の形態】
【００１４】
以下、本発明の実施の形態について添付図面を参照して詳細に説明する。
（実施の形態１）
図１は、本発明の実施の形態１に係るメモリカード１００及びカード用アダプタ２００の外観を示す斜視図である。なお、図１においては、本実施の形態に係るメモリカード１００に、カード用アダプタ２００を装着していない状態について示している。以下においては、図１に示す上方側をメモリカード１００及びカード用アダプタ２００の前方側と呼び、同図に示す下方側をメモリカード１００及びカード用アダプタ２００の後方側と呼ぶものとする。また、以下においては、説明の便宜上、本実施の形態に係るメモリカード１００を「メモリカード」と呼び、標準サイズのメモリカードを「標準カード」と呼ぶことで区別するものとする。
【００１５】
本実施の形態に係るメモリカード１００は、例えば、電子機器の小型化の要請に対応するために標準カードよりも小型化されているものである。特に、本実施の形態に係るメモリカード１００は、カードスロットに対する挿入方向の長さが短縮されている。挿入方向と直交する方向の長さは、標準カードと同一である。なお、本実施の形態に係るメモリカード１００の種類については、特定の種類のメモリカードに限定されるものではなく、今後普及し得るメモリカードを含め、あらゆるメモリカードに適用することができるものである。
【００１６】
また、本実施の形態に係るカード用アダプタ（以下、単に「アダプタ」という）２００は、メモリカード１００の後方側端部に装着されるものである。このようにメモリカード１００に装着することにより、当該メモリカード１００を標準カードとして利用可能にするものである。例えば、メモリカード１００は、装置の小型化が要請される携帯端末などにおいて、アダプタ２００を装着することなくカード単体で使用され、標準カードに対応するカードスロットが搭載されている端末装置などにおいて、アダプタ２００を装着した状態で使用される。
【００１７】
図２は、実施の形態１に係るメモリカード１００及びアダプタ２００の内部の構成を示す斜視図である。なお、図２においては、説明の便宜上、メモリカード１００及びアダプタ２００の上面部の一部を省略した場合について示している。
【００１８】
図２に示すように、メモリカード１００の側方側端部には、段差部１０１が形成されている。段差部１０１は、挿入方向に沿ってメモリカード１００の長手方向の全体に亘って形成されている。段差部１０１は、メモリカード１００をカードスロットに挿入する際、例えば、カードスロットの内部に形成されるガイドレールに対応する形状を有し、当該ガイドレールに案内されるガイド部として機能する。
【００１９】
双方の段差部１０１におけるメモリカード１００の後方側の端部近傍には、当該メモリカード１００がカードスロットに対して逆向きに挿入（以下、適宜「逆挿入」という）されるのを防止する一対の逆挿入防止機構１０２が設けられている。このように逆挿入防止機構１０２を、メモリカード１００の双方の段差部１０１に設けることで、メモリカード１００の逆挿入の防止を図っている。逆挿入防止機構１０２は、その一部が、段差部１０１の段差部分から外側に突出した状態と、段差部分から内側に移動した状態との間で回動可能に構成されている。前者において、メモリカード１００の逆挿入防止機能が設定された状態となり、後者において、メモリカード１００の逆挿入防止機能が解除された状態となる。逆挿入防止機構１０２は、アダプタ２００が装着されていない状態において、段差部１０１の段差部分から内側に移動した状態となるように付勢されている。
【００２０】
メモリカード１００の内部であって、逆挿入防止機構１０２の近傍には、逆挿入防止機構１０２の逆挿入防止機能を解除状態にする駆動機構１０３が設けられている。駆動機構１０３は、メモリカード１００の内部の一定範囲を前後方向に移動可能に構成されている。アダプタ２００が装着されていない状態において、逆挿入防止機構１０２の一部と当接して、逆挿入防止機構１０２を段差部１０１の段差部分から突出した状態とする。また、アダプタ２００の装着動作に伴って、逆挿入防止機構１０２と当接する位置からメモリカード１００の前方側に移動する。
【００２１】
また、メモリカード１００の後方側の端面には、図２に示すように、１対の溝部１０４ａ及び１０４ｂ、並びに、２つの孔部１０５ａ及び１０５ｂが形成されている。１対の溝部１０４ａ及び１０４ｂは、メモリカード１００の側方側の端部近傍の位置に形成されており、メモリカード１００の内部側に一定長さだけ延在する。そして、その先端部分において、側方側に広がる形状を有する収容部１０４ｃ及び１０４ｄ（図４（ａ）参照）が形成されている。孔部１０５ａ及び１０５ｂは、１対の溝部１０４ａ及び１０４ｂの内側に形成されている。孔部１０５ａ及び１０５ｂは、メモリカード１００の後方側の壁面を貫通しており、孔部１０５ａは、孔部１０５ｂよりも僅かに幅広に形成されている。
【００２２】
一方、アダプタ２００には、メモリカード１００の溝部１０４ａ及び１０４ｂと係合することで、メモリカード１００にアダプタ２００を装着する一対の係合片２０１ａ及び２０１ｂが設けられている。係合片２０１ａ及び２０１ｂは、アダプタ２００に設けられた後述の操作部に連結されており、この操作部を介した使用者の押圧操作に応じてアダプタ２００の内側に僅かに撓み、溝部１０４ａ及び１０４ｂとの係合から解放されるように構成されている。
【００２３】
また、アダプタ２００の前方側の端面には、形状の異なる２つの突出片２０２ａ及び２０２ｂが形成されている。突出片２０２ａは、突出片２０２ｂよりも僅かに幅広に形成されている。突出片２０２ａ及び２０２ｂは、メモリカード１００の内部に配置された駆動機構１０３に当接する長さを有している。そして、駆動機構１０３を駆動して逆挿入防止機構１０２の逆挿入防止機能を制御する制御部を構成する。突出片２０２ａ及び２０２ｂは、それぞれメモリカード１００の孔部１０５ａ及び１０５ｂに挿入される。このように形状の異なる突出片２０２ａ及び２０２ｂを、孔部１０５ａ及び１０５ｂに挿入することで、メモリカード１００に対して表裏が逆向きにアダプタ２００が装着されるのを防止している。
【００２４】
ここで、実施の形態１に係るメモリカード１００の構成について図３〜図５を用いて説明する。図３は、実施の形態１に係るメモリカード１００の分解斜視図である。図４は、実施の形態１に係るメモリカード１００の上面図（同図（ａ））及び後面図（同図（ｂ））である。図５は、実施の形態１に係るメモリカード１００の逆挿入防止機構１０２の近傍の拡大図である。
【００２５】
上述したように、メモリカード１００は、その挿入方向の長さが標準カードにおける挿入方向の長さよりも短縮されている点で標準カードと相違する。メモリカード１００に配設されるコネクタの数量や配列は、標準カードと同様である。また、メモリカード１００を構成する材質やその構造においても、標準カードと同様の材質や構造が採用される。
【００２６】
図３及び図４に示すように、メモリカード１００の内部には、側壁部の後方側の端部近傍に、逆挿入防止機構１０２を収容する収容部３０１が形成されている。逆挿入防止機構１０２は、この収容部３０１内で回動する回動板３０２と、回動板３０２に取り付けられるトーションばね３０３とから構成される。回動板３０２は、アダプタ２００が装着されていない状態（以下、適宜「初期状態」という）において、メモリカード１００の上面と同一平面上に配置される平面部３０２ａと、この平面部３０２ａから垂直に下方側に延在する側壁部３０２ｂと、側壁部３０２ｂの端部から前方側に延在し、駆動機構１０３の一部と当接する当接片３０２ｃと、側壁部３０２ｂから前方側及び後方側に延在する軸部３０２ｄとを有している。
【００２７】
軸部３０２ｄは、メモリカード１００の収容部３０１近傍に設けられた不図示の支持部により軸支される。前方側の軸部３０２ｄには、トーションばね３０３が取り付けられる。トーションばね３０３の一端は、メモリカード１００の側壁部の内壁に係止され、他端は、回動板３０２の側壁部３０２ｂの外壁に係止される。このため、回動板３０２は、軸部３０２ｄを回動支点として、トーションばね３０３によりメモリカード１００の内側に回動するように付勢されている。
【００２８】
また、メモリカード１００の内部には、中央よりも僅かに前方側の位置に、駆動機構１０３の一部を構成するコイルばねの一方の端部を保持する保持部３０４が形成されている。保持部３０４は、メモリカード１００の後方側に開口する形状を有しており、その内部に保持片３０４ａが設けられている。さらに、メモリカード１００の内部には、駆動機構１０３の一部を構成するロック板３０６のメモリカード１００の後方側への移動を規制する規制部３０５が設けられている。規制部３０５は、メモリカード１００の底面部から僅かに上方側に突出する形状を有し、ロック板３０６の下端部と当接する。
【００２９】
駆動機構１０３は、メモリカード１００の内部において前後方向に往復移動可能な操作部材としてのロック板３０６と、このロック板３０６をメモリカード１００の後方側に付勢するコイルばね３０７とから構成される。ロック板３０６は、メモリカード１００の底面部近傍から、メモリカード１００の前方側に向かって上方側に傾斜する傾斜面３０６ａと、傾斜面３０６ａの側方側に配置され、逆挿入防止機構１０２の当接片３０２ｃと当接する当接面３０６ｂと、メモリカード１００の前方側に延在する一対の保持片３０６ｃとを有している。なお、傾斜面３０６ａは、アダプタ２００を介した押圧操作を受ける被押圧部を構成する。
【００３０】
コイルばね３０７は、メモリカード１００の後方側の一端がロック板３０６の保持片３０６ｃに保持され、前方側の一端が保持部３０４の保持片３０４ａに保持される。このため、ロック板３０６は、コイルばね３０７によりメモリカード１００の後方側に付勢されている。
【００３１】
このような構成を有するメモリカード１００に対してアダプタ２００が装着されていない状態（初期状態）において、ロック板３０６は、図５に示すように、規制部３０５に当接し、後方側への移動が規制された状態となっている。この場合、逆挿入防止機構１０２においては、回動板３０２の当接片３０２ｃが、ロック板３０６の当接面３０６ｂと当接することによってトーションばね３０３の付勢力に抗してメモリカード１００の側壁部側に回動している。そして、平面部３０２ａの一部が段差部１０１の段差部分から外側に突出した状態となっている。この突出した部分が、逆挿入防止機構１０２の突出部を構成する。
【００３２】
このように平面部３０２ａの一部が段差部１０１の段差部分から外側に突出した状態には、メモリカード１００がカードスロットに逆向きに挿入された場合においても、平面部３０２ａの前方側の端部がカードスロット内のガイドレール等と当接することで、メモリカード１００の逆挿入を防止することが可能となっている。
【００３３】
次に、本実施の形態に係るアダプタ２００の構成について図６及び図７を用いて説明する。図６は、実施の形態１に係るアダプタ２００の分解斜視図である。図７は、実施の形態１に係るアダプタ２００の上面図（同図（ａ））及び後面図（同図（ｂ））である。
【００３４】
図６に示すように、本実施の形態に係るアダプタ２００は、合成樹脂材料を成型加工することで形成されるケース４０１と、弾性を有する金属板を所定形状に打ち抜き加工し、更に折り曲げ加工することで形成される板ばね部材４０２と、合成樹脂材料を成型加工することで形成されるカバー部材４０３とから構成される。ケース４０１に板ばね部材４０２を組み込んだ後、ケース４０１に対してカバー部材４０３を固定することでアダプタ２００が形成される。
【００３５】
ケース４０１は、メモリカード１００と略同一の厚さを有しており、その内部に板ばね部材４０２を収容可能に構成されている。ケース４０１は、アダプタ２００の前方側であって中央近傍に形成される平面部４０４と、平面部４０４の左方側の側面部に対向して配置される側壁部４０５と、平面部４０４の右方側の側面部に対向して配置される側壁部４０６と、平面部４０４の後面部に対向して配置される後壁部４０７とを備えている。
【００３６】
平面部４０４と側壁部４０５との間には、メモリカード１００の挿入方向に延在する第１溝部４０８が形成されている。同様に、平面部４０４と側壁部４０６との間には、メモリカード１００の挿入方向に延在する第２溝部４０９が形成されている。また、平面部４０４と後壁部４０７との間には、メモリカード１００の挿入方向と直交する方向に延在する第３溝部４１０が形成される。
【００３７】
平面部４０４は、アダプタ２００の前方側の端部が後方側の端部に比べて僅かに幅が狭く形成されている。平面部４０４の前面部に、上述した２つの突出片２０２ａ及び２０２ｂが形成されている。平面部４０４の上面であって前方側の端部には、僅かに上方側に突出形成された支持壁４１１が形成されている。支持壁４１１は、カバー部材４０３の前方側の側面部を支持する。
【００３８】
側壁部４０５には、その中央部にケース４０１の内側に窪む凹部４０５ａが形成されている。凹部４０５ａには、側壁部４０５の上面よりも僅かに低く形成された段差部４０５ｂが連設されている。この段差部４０５ｂには、後述する板ばね部材４０２の操作部４１２ａが配置される。段差部４０５ｂの前方側には、連結片４０５ｃが形成されている。連結片４０５ｃは、メモリカード１００の側方側の後端部と連結される。連結片４０５ｃの上面には、僅かに上方側に突出形成された支持壁４０５ｄが形成されている。支持壁４０５ｄは、概してＬ字形状を有し、カバー部材４０３の前方側の端部を支持する。なお、連結片４０５ｃにおける支持壁４０５ｄの側方側の形状は、メモリカード１００の段差部１０１に対応する形状を有している。
【００３９】
一方、段差部４０５ｂの後方側には、当接片４０５ｅが形成されている。当接片４０５ｅは、アダプタ２００の後端部から挿入しようとした場合にカードスロットの一部、例えば、ガイドレールと当接する。当接片４０５ｅには、メモリカード１００の挿入方向と直交する面で構成される当接面４０５ｆが形成されている。当接面４０５ｆは、メモリカード１００に形成される段差部１０１と比べ、メモリカード１００の厚さ方向及び幅方向に突出した形状を有している。なお、側壁部４０６は、側壁部４０５と同様の構成を有するため、その説明を省略する。
【００４０】
後壁部４０７は、側壁部４０５及び側壁部４０６の当接片４０５ｅ及び当接片４０６ｅよりもアダプタ２００の後方側に配置されている。後壁部４０７の後方側の端部中央には、僅かに上方側に突出形成された摘み部４０７ａが形成されている。摘み部４０７ａは、メモリカード１００の挿入方向と直交する方向に延在して設けられ、カードスロットに挿入されたメモリカード１００を取り出す際に利用されるものである。
【００４１】
第１溝部４０８は、後述する板ばね部材４０２の左方側の腕部４１２を収容する。同様に、第２溝部４０９は、後述する板ばね部材４０２の右方側の腕部４１３を収容する。第１溝部４０８及び第２溝部４０９は、アダプタ２００の後方側よりも前方側の方が僅かに大きな幅を有している。このように第１溝部４０８及び第２溝部４０９の前後で幅を変えることで、板ばね部材４０２の腕部４１２及び４１３の前方側端部を僅かに揺動可能に構成している。第３溝部４１０は、アダプタ２００の前後方向に一定の幅を有し、後述する板ばね部材４０２の連結部４１４を収容する。
【００４２】
板ばね部材４０２は、一対の腕部４１２及び４１３と、これらの腕部４１２及び４１３の後方側端部を連結する連結部４１４とを有している。腕部４１２の前方側端部には、上述した係合片２０１ａが形成されている。係合片２０１ａは、アダプタ２００の前方側に延在する端部を、側方側に折り曲げた後に、その先端を更に内側に折り曲げることで形成される。係合片２０１ａよりも後方側には、側方側に突出する操作部４１２ａが形成されている。操作部４１２ａは、一定長さだけアダプタ２００の側方側に延在する片の端部を下方側に折り曲げることで形成される。
【００４３】
なお、腕部４１３は、腕部４１２と同様の構成を有するため、その説明を省略する。連結部４１４には、アダプタ２００の前方側に延在する支持片４１４ａが形成されている。支持片４１４ａは、第３溝部４１０と略同一の長さを有している。
【００４４】
カバー部材４０３は、平坦な板状部材で構成される。ケース４０１の平面部４０４の上に載置され、例えば、接着材料等で接着固定される。この場合において、カバー部材４０３は、平面部４０４に形成された支持壁４１１と、側壁部４０５及び４０６に形成された支持壁４０５ｄ及び４０６ｄと、当接片４０５ｅ及び４０６ｅの内壁面と、後壁部４０７の内壁面とによってその固定位置が決定される。
【００４５】
このような構成を有するアダプタ２００を組み立てる際には、図７（ａ）に示すように、板ばね部材４０２の腕部４１２及び４１３をそれぞれ第１溝部４０８及び第２溝部４０９に配置すると共に、連結部４１４を第３溝部４１０に配置するように、板ばね部材４０２をケース４０１の内部に収容する。上述したように、板ばね部材４０２の支持片４１４ａは、第３溝部４１０と略同一の長さを有していることから、第３溝部４１０に嵌め込まれることとなる。このように支持片４１４ａが第３溝部４１０に嵌め込まれることで、ケース４０１に板ばね部材４０２が固定される。
【００４６】
このように組み立てられたアダプタ２００において、板ばね部材４０２の係合片２０１ａ及び２０１ｂは、アダプタ２００の前方側に突出し、メモリカード１００に対する装着部として機能する。その先端部近傍は、メモリカード１００の溝部１０４ａ、１０４ｂの内壁面と接触して、係合片２０１ａ及び２０１ｂ自体をアダプタ２００の内側に押し込む形状となっている。また、板ばね部材４０２の操作部４１２ａ及び４１３ａは、それぞれ段差部４０５ｂ及び４０６ｂ上に配置され、その側方側の端部がアダプタ２００の側方側の端部近傍に配置されている。なお、操作部４１２ａ及び４１３ａの上面は、側壁部４０５及び４０６の上面よりも低く設定されている。
【００４７】
側壁部４０５及び４０６の当接片４０５ｅ及び４０６ｅは、図７（ｂ）に示すように、アダプタ２００の上面と略同一の高さ、並びに、アダプタ２００の側面と略同一の幅に設定されている。これらの当接片４０５ｅ及び４０６ｅは、メモリカード１００の側方側端部よりも厚さ方向及び幅方向に突出した形状とされている。また、後壁部４０７の摘み部４０７ａは、アダプタ２００の上面よりも僅かに上方側に突出している。
【００４８】
次に、実施の形態１に係るメモリカード１００にアダプタ２００を装着した状態について図８及び図９を用いて説明する。図８は、実施の形態１に係るメモリカード１００及びアダプタ２００の内部の構成を示す斜視図である。図９は、実施の形態１に係るメモリカード１００及びアダプタ２００の上面図である。なお、図８及び図９においては、説明の便宜上、メモリカード１００及びアダプタ２００の上面部の一部を省略した場合について示している。
【００４９】
メモリカード１００に対してアダプタ２００を装着する際には、図２に示すように、アダプタ２００の突出片２０２ａ及び２０２ｂが、それぞれメモリカード１００の孔部１０５ａ及び１０５ｂに対応する位置に、メモリカード１００の後方側の位置に配置する。そして、これらの突出片２０２ａ及び２０２ｂが孔部１０５ａ及び１０５ｂに入り込むように、アダプタ２００をメモリカード１００に装着する。
【００５０】
このとき、板ばね部材４０２に形成された係合片２０１ａ及び２０１ｂは、それぞれ溝部１０４ａ及び１０４ｂの側方側の内壁面に接触し、アダプタ２００の内側に押し込まれる。これに伴い、板ばね部材４０２の腕部４１２及び４１３は、第１溝部４０８及び第２溝部４０９内でアダプタ２００の内側に撓む。また、腕部４１２及び４１３に形成された操作部４１２ａ及び４１３ａは、僅かにアダプタ2００の内側に入り込んだ状態となる。
【００５１】
そして、この状態から更にアダプタ２００を押し込み、係合片２０１ａ及び２０１ｂが、溝部１０４ａ及び１０４ｂの側方側の内壁面との接触から解放されると、腕部４１２及び４１３の復元力によってアダプタ２００の側方側に移動し、係合部２０１ａ及び２０１ｂが収容部１０４ｃ及び１０４ｄに入り込む。これにより、アダプタ２００がメモリカード１００に対して装着されることとなる。これにより、メモリカード１００は、標準カードとして利用することが可能となる。
【００５２】
メモリカード１００にアダプタ２００が装着された状態においては、図８及び図９に示すように、アダプタ２００の突出片２０２ａ及び２０２ｂの先端部が、ロック板３０６の傾斜面３０６ａに当接し、コイルばね３０７の付勢力に抗してロック板３０６をメモリカード１００の前方側に移動させた状態となっている。すなわち、突出片２０２ａ及び２０２ｂの先端部は、傾斜面３０６ａを押圧する押圧部を構成する。逆挿入防止機構１０２は、ロック板３０６における前方側への移動に伴って、トーションばね３０３の付勢力に応じてメモリカード１００の内側に回動した状態となっている。
【００５３】
ここで、実施の形態１に係るメモリカード１００にアダプタ２００を装着した場合における逆挿入防止機構１０２の動作について図５を参照しながら図１０を用いて説明する。図１０は、実施の形態１に係るメモリカード１００の逆挿入防止機構１０２の近傍の拡大図である。
【００５４】
メモリカード１００に対してアダプタ２００が装着されていない状態において、逆挿入防止機構１０２は、図５に示すように、当接片３０２ｃがロック板３０６と当接し、メモリカード１００の内側への回動が規制された状態となっている。このとき、平面部３０２ａの一部は、段差部１０１の段差部分からメモリカード１００の外側に突出した状態となっている。
【００５５】
この状態から、アダプタ２００の装着に伴って、ロック板３０６がメモリカード１００の前方側に移動すると、当接片３０２ｃは、トーションばね３０３の付勢力に応じてロック板３０６の当接面３０６ｂの表面を摺接しながら下方側に移動していく。これに応じて逆挿入防止機構１０２の回動板３０２は、図１０に示すように、メモリカード１００の内側に回動していく。このとき、平面部３０２ａは、メモリカード１００の内側に移動した状態となっている。
【００５６】
このように平面部３０２ａがメモリカード１００の内側に移動した状態においては、メモリカード１００がカードスロットに正しい向きに挿入されると、逆挿入防止機構１０２がカードスロット内のガイドレール等と当接することなく、適切にメモリカード１００を挿入することが可能となっている。
【００５７】
このように実施の形態１に係るメモリカード１００においては、駆動機構１０３により回動板３０２の平面部３０２ａをメモリカード１００の内側に移動させて逆挿入防止機構１０２の逆挿入防止機能を解除状態にすることから、駆動機構１０３の駆動状態に応じて必要のない場合に逆挿入防止機能を解除状態とすることができる。特に、アダプタ２００が装着された場合に駆動機構１０３を駆動させ、逆挿入防止機能を解除状態としているので、カード単体でカードスロットに対して逆向きに挿入される事態を防止しつつ、アダプタ２００が装着された場合においても、標準カード用のコネクタ装置に適切に装着することが可能となる。
【００５８】
また、実施の形態１に係るメモリカード１００において、駆動機構１０３は、ロック板３０６に対する押圧操作が行われると平面部３０２ａをメモリカード１００の内側に移動させる一方、ロック板３０６に対する押圧操作が解除されると平面部３０２ａをメモリカード１００の外側に突出させている。これにより、ロック板３０６に対する押圧操作に応じて平面部３０２ａの位置が切り替えられることから、アダプタ２００の装着動作に応じてロック板３０６に対する押圧操作を行うことにより、アダプタ２００の装着動作に応じて平面部３０２ａの位置を切り替えることが可能となる。
【００５９】
さらに、実施の形態１に係るメモリカード１００において、逆挿入防止機構１０２の平面部３０２ａは、メモリカード１００の段差部１０１における後方側の端部近傍で突出するように構成されている。これにより、カードスロットに設けられるカードガイド部との関係でメモリカード１００の逆向きの挿入を防止することが可能となる。また、メモリカード１００の挿入方向の後方側の端部近傍で平面部３０２ａを突出させることから、メモリカード１００が逆向きに挿入された場合にカードスロットの奥側までメモリカード１００が挿入される事態を防止することが可能となる。
【００６０】
一方、実施の形態１に係るアダプタ２００においては、突出片２０２ａ及び２０２ｂにより、駆動機構１０３を駆動して逆挿入防止機構１０２の逆挿入防止機能を制御することから、メモリカード１００に装着された場合にメモリカード１００の逆挿入防止機能を解除状態とすることができる。これにより、カード単体でカードスロットに対して逆向きに挿入される事態を防止可能なメモリカード１００を標準カード用のコネクタ装置に適切に装着させることが可能となる。
【００６１】
（実施の形態２）
実施の形態２に係るメモリカード１００は、逆挿入防止機構１０２及び駆動機構１０３の構成において実施の形態１に係るメモリカード１００と相違する。以下、実施の形態２に係るメモリカード１００の構成について説明する。なお、実施の形態２に係るメモリカード１００に装着されるアダプタ２００は、メモリカード１００側に突出する突出片２０２ａ及び２０２ｂの長さが僅かに短い点を除き、実施の形態１に係るアダプタ２００と同一であるため、その詳細な説明を省略する。
【００６２】
図１１は、本発明の実施の形態２に係るメモリカード１００の内部の構成を示す斜視図である。なお、説明の便宜上、図１１においては、アダプタ２００を表示している。図１１においては、図２と同一の構成については、同一の符号を付し、その説明を省略する。
【００６３】
図１１に示すように、実施の形態２に係るメモリカード１００においても、逆挿入防止機構１０２は、後方側の端部近傍に設けられている。実施の形態１と同様に、逆挿入防止機構１０２は、その一部が、段差部１０１の段差部分から外側に突出した状態と、段差部分から内側に移動した状態との間で回動可能に構成され、前者において、メモリカード１００の逆挿入防止機能が設定された状態となり、後者において、メモリカード１００の逆挿入防止機能が解除された状態となる。逆挿入防止機構１０２は、アダプタ２００が装着されていない状態において、段差部１０１の段差部分から内側に移動した状態となるように付勢されている。
【００６４】
駆動機構１０３は、メモリカード１００の内部であって、逆挿入防止機構１０２の内側に設けられている。駆動機構１０３は、メモリカード１００の内部の一定範囲を回動可能に構成されている。アダプタ２００が装着されていない状態において、逆挿入防止機構１０２の一部と当接して、逆挿入防止機構１０２を段差部１０１の段差部分から突出した状態とする。一方、アダプタ２００の装着動作に伴って、逆挿入防止機構１０２のメモリカード１００の内側への回動を許容する位置まで回動する。
【００６５】
ここで、実施の形態２に係るメモリカード１００の構成について図１２〜図１４を用いて説明する。図１２は、実施の形態２に係るメモリカード１００の分解斜視図である。図１３は、実施の形態２に係るメモリカード１００の上面図（同図（ａ））及び後面図（同図（ｂ））である。図１４は、実施の形態２に係るメモリカード１００の逆挿入防止機構１０２の近傍の拡大図である。
【００６６】
図１２及び図１３に示すように、メモリカード１００の内部には、側壁部の後方側の端部近傍に、逆挿入防止機構１０２を収容する収容部５０１が形成されている。逆挿入防止機構１０２は、この収容部５０１内で回動する回動板５０２と、回動板５０２に取り付けられるトーションばね５０３とから構成される。回動板５０２は、アダプタ２００が装着されていない状態において、それぞれメモリカード１００の内側から外側に向けて上方側に傾斜する傾斜面を有する当接部５０２ａと、この当接部５０２ａから下方側に延在する側壁部５０２ｂと、側壁部５０２ｂの端部から前方側に延在し、トーションばね５０３の一端を係止する係止片５０２ｃと、側壁部５０２ｂから前方側及び後方側に延在する軸部５０２ｄとを有している。
【００６７】
軸部５０２ｄは、メモリカード１００の収容部５０１近傍に設けられた不図示の支持部により軸支される。前方側の軸部５０２ｄには、トーションばね５０３が取り付けられる。トーションばね５０３の一端は、メモリカード１００の側壁部の内壁に係止され、他端は、係止片５０２ｃに係止される。このため、回動板５０２は、軸部５０２ｄを回動支点として、トーションばね５０３によりメモリカード１００の内側に回動するように付勢されている。
【００６８】
また、メモリカード１００の内部には、収容部５０１よりも僅かに内側の位置に、駆動機構１０３の一部を構成するトーションばね５０７が取り付けられる保持片５０４が設けられている。保持片５０４は、メモリカード１００の底面部から僅かに上方側に突出形成された円柱形状を有している。なお、この保持片５０４には、駆動機構１０３の一部を構成するロック部材が取り付けられる。また、この保持片５０４よりも後方側の位置に、アダプタ２００が装着されていない状態において、駆動機構１０３の一部を構成するロック部材の回動を規制する規制片５０５が設けられている。規制片５０５は、保持片５０４と同様に、メモリカード１００の底面部から僅かに上方側に突出形成された円柱形状を有している。なお、この規制片５０５は、トーションばね５０７の一端を係止する役割も果たす。
【００６９】
駆動機構１０３は、メモリカード１００の内部において、保持片５０４を回動支点として回動可能なロック部材５０６と、このロック部材５０６におけるメモリカード１００の内側の端部を後方側に付勢するトーションばね５０７とから構成される。ロック部材５０６は、アダプタ２００の突出片２０２ａ又は２０２ｂと当接する第１当接部５０６ａと、逆挿入防止機構１０２の当接部５０２ａと当接する第２当接部５０６ｂとを有している。第１当接部５０６ａは、突出片２０２ａ又は２０２ｂと当接してロック部材５０６におけるメモリカード１００の内部側の先端を前方側に回動させる形状を有している。第２当接部５０６ｂは、アダプタ２００が装着されていない状態で逆挿入防止機構１０２を段差部１０１の段差部分から突出させる一方、アダプタ２００が装着された状態で逆挿入防止機構１０２を段差部１０１の段差部分からメモリカード１００の内側に移動させる形状を有している。
【００７０】
トーションばね５０７は、一端が規制片５０５に係止され、他端がロック部材５０６の下面に形成された不図示の保持片に係止される。このため、ロック部材５０６は、トーションばね５０７により第１当接部５０６ａをメモリカード１００の後方側に付勢されている。
【００７１】
このような構成を有するメモリカード１００に対してアダプタ２００が装着されていない状態（初期状態）において、ロック部材５０６は、図１４に示すように、規制片５０５に当接し、メモリカード１００の後方側への移動が規制された状態となっている。この場合、逆挿入防止機構１０２においては、当接部５０２ａが、ロック部材５０６の第２当接部５０６ｂと当接することによってトーションばね５０３の付勢力に抗してメモリカード１００の側壁部側に回動している。そして、当接部５０２ａの一部が段差部１０１の段差部分から外側に突出した状態となっている。この突出した部分が、逆挿入防止機構１０２の突出部を構成する。
【００７２】
このように当接部５０２ａの一部が段差部１０１の段差部分から外側に突出した状態には、メモリカード１００がカードスロットに逆向きに挿入された場合においても、当接部５０２ａの前方側の端部がカードスロット内のガイドレール等と当接することで、メモリカード１００の逆挿入を防止することが可能となっている。
【００７３】
次に、実施の形態２に係るメモリカード１００にアダプタ２００を装着した状態について図１５及び図１６を用いて説明する。図１５は、実施の形態２に係るメモリカード１００及びアダプタ２００の内部の構成を示す斜視図である。図１６は、実施の形態２に係るメモリカード１００及びアダプタ２００の上面図である。なお、図１５及び図１６においては、説明の便宜上、メモリカード１００及びアダプタ２００の上面部の一部を省略した場合について示している。なお、メモリカード１００にアダプタ２００を装着する際の動作については、実施の形態１と同様である。
【００７４】
メモリカード１００にアダプタ２００が装着された状態においては、図１５及び図１６に示すように、アダプタ２００の突出片２０２ａ及び２０２ｂの先端部が、ロック部材５０６の第１当接部５０６ａに当接し、トーションばね５０７の付勢力に抗してロック部材５０６をメモリカード１００の前方側に回動させた状態となっている。そして、逆挿入防止機構１０２は、ロック部材５０６の前方側への回動に伴って、トーションばね５０３の付勢力に応じてメモリカード１００の内側に回動した状態となっている。
【００７５】
ここで、実施の形態２に係るメモリカード１００にアダプタ２００を装着した場合における逆挿入防止機構１０２の動作について図１４を参照しながら図１８を用いて説明する。図１７は、実施の形態２に係るメモリカード１００の逆挿入防止機構１０２の近傍の拡大図である。
【００７６】
メモリカード１００に対してアダプタ２００が装着されていない状態において、逆挿入防止機構１０２は、図１４に示すように、当接部５０２ａがロック部材５０６の第２当接部５０６ｂと当接し、メモリカード１００の内側への回動が規制された状態となっている。このとき、当接部５０２ａの一部は、段差部１０１の段差部分からメモリカード１００の外側に突出した状態となっている。
【００７７】
この状態から、アダプタ２００の装着に伴って、ロック部材５０６がメモリカード１００の前方側に回動すると、第２当接部５０６ｂがメモリカード１００の内側に移動した状態となる。これにより、逆挿入防止機構１０２におけるメモリカード１００の内側への回動が許容され、逆挿入防止機構１０２は、図１７に示すように、メモリカード１００の内側に回動していく。このとき、当接部５０２ａは、メモリカード１００の内側に移動した状態となっている。
【００７８】
このように当接部５０２ａがメモリカード１００の内側に移動した状態において、メモリカード１００がカードスロットに正しい向きに挿入された場合には、逆挿入防止機構１０２がカードスロット内のガイドレール等と当接することなく、適切にメモリカード１００を挿入することが可能となっている。
【００７９】
このように実施の形態２に係るメモリカード１００においては、駆動機構１０３により回動板５０２の当接部５０２ａをメモリカード１００の内側に移動させて逆挿入防止機構１０２の逆挿入防止機能を解除状態にすることから、駆動機構１０３の駆動状態に応じて必要のない場合に逆挿入防止機能を解除状態とすることができる。特に、アダプタ２００が装着された場合に駆動機構１０３を駆動させ、逆挿入防止機能を解除状態としているので、カード単体でカードスロットに対して逆向きに挿入される事態を防止しつつ、アダプタ２００が装着された場合においても、標準カード用のコネクタ装置に適切に装着することが可能となる。
【００８０】
また、実施の形態２に係るメモリカード１００において、駆動機構１０３は、ロック部材５０６に対する押圧操作が行われると当接部５０２ａをメモリカード１００の内側に移動させる一方、ロック部材５０６に対する押圧操作が解除されると当接部５０２ａをメモリカード１００の外側に突出させている。これにより、ロック部材５０６に対する押圧操作に応じて当接部５０２ａの位置が切り替えられることから、アダプタ２００の装着動作に応じてロック部材５０６に対する押圧操作を行うことにより、アダプタ２００の装着動作に応じて当接部５０２ａの位置を切り替えることが可能となる。
【００８１】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００８２】
【図１】本発明の実施の形態１に係るメモリカード及びカード用アダプタの外観を示す斜視図である。
【図２】実施の形態１に係るメモリカード及びアダプタの内部の構成を示す斜視図である。
【図３】実施の形態１に係るメモリカードの分解斜視図である。
【図４】実施の形態１に係るメモリカードの上面図（同図（ａ））及び後面図（同図（ｂ））である。
【図５】実施の形態１に係るメモリカードの逆挿入防止部の近傍の拡大図である。
【図６】実施の形態１に係るアダプタの分解斜視図である。
【図７】実施の形態１に係るアダプタの上面図（同図（ａ））及び後面図（同図（ｂ））である。
【図８】実施の形態１に係るメモリカード及びアダプタの内部の構成を示す斜視図である。
【図９】実施の形態１に係るメモリカード及びアダプタの上面図である。
【図１０】実施の形態１に係るメモリカードの逆挿入防止部の近傍の拡大図である。
【図１１】本発明の実施の形態２に係るメモリカードの内部の構成を示す斜視図である。
【図１２】実施の形態２に係るメモリカードの分解斜視図である。
【図１３】実施の形態２に係るメモリカードの上面図（同図（ａ））及び後面図（同図（ｂ））である。
【図１４】実施の形態２に係るメモリカードの逆挿入防止部の近傍の拡大図である。
【図１５】実施の形態２に係るメモリカード及びアダプタの内部の構成を示す斜視図である。
【図１６】実施の形態２に係るメモリカード及びアダプタの上面図である。
【図１７】実施の形態２に係るメモリカードの逆挿入防止機構の近傍の拡大図である。
【符号の説明】
【００８３】
１００  メモリカード
１０１  段差部
１０２  逆挿入防止機構
１０３  駆動機構
１０４ａ、１０４ｂ  溝部
１０５ａ、１０５ｂ  孔部
２００  カード用アダプタ
２０１ａ、２０１ｂ  係合片
２０２ａ、２０２ｂ  突出片
３０１  収容部
３０２  回動板
３０２ａ  平面部
３０２ｂ  側壁部
３０２ｃ  当接片
３０２ｄ  軸部
３０３  トーションばね
３０４  保持部
３０４ａ  保持片
３０５  規制部
３０６  ロック板
３０６ａ  傾斜面
３０６ｂ  当接面
３０６ｃ  保持片
３０７  コイルばね
４０１  ケース
４０２  板ばね部材
４０３  カバー部材
４０４  平面部
４０５、４０６  側壁部
４０５ｅ、４０６ｅ  当接片
４０５ｆ、４０６ｆ  当接面
４０７  後壁部
４０８  第１溝部
４０９  第２溝部
４１０  第３溝部
４１１  支持壁
４１２、４１３  腕部
４１２ａ、４１３ａ  係止部
４１２ｂ、４１３ｂ  操作部
４１４  連結部
５０１  収容部
５０２  回動板
５０２ａ  当接部
５０２ｂ  側壁部
５０２ｃ  係止片
５０２ｄ  軸部
５０３  トーションばね
５０４  保持片
５０５  規制片
５０６  ロック部材
５０６ａ  第１当接部
５０６ｂ  第２当接部
５０７  トーションばね
【図１】
2009020700.tif 000003
【図２】
2009020700.tif 000004
【図３】
2009020700.tif 000005
【図４】
2009020700.tif 000006
【図５】
2009020700.tif 000007
【図６】
2009020700.tif 000008
【図７】
2009020700.tif 000009
【図８】
2009020700.tif 000010
【図９】
2009020700.tif 000011
【図１０】
2009020700.tif 000012
【図１１】
2009020700.tif 000013
【図１２】
2009020700.tif 000014
【図１３】
2009020700.tif 000015
【図１４】
2009020700.tif 000016
【図１５】
2009020700.tif 000017
【図１６】
2009020700.tif 000018
【図１７】
2009020700.tif 000019